(57)【要約】      （修正有）【課題】一般住宅で火災発生時の高齢者を考慮した警告システムを形成するため、容易に且つコストをかけずに現状の防災システムでは達成されていない浴室や便所といった場所に警告を発する事を実現する事は、高齢者社会を迎えるにあたって非常に重要な課題である。本発明は、上記課題を解決するためになされたもので、本発明の目的は、コストをかけず簡便に、便所・浴室及び特定寝室に火災の警告表示を行える家庭用防災システムを提供することにある。【解決手段】火災が発生した事を検出し、その情報を給湯用機器を通して、浴室や台所に設けられた給湯用機器のリモートコントローラーで、音声及び文字情報にて警告する。【選択図】図１
2004147991.tif 000002
【特許請求の範囲】
【請求項１】
水道本管から分岐して、その下流に設けた合成樹脂製の配管を用いた一般給水・給湯配管と防災用配管を分岐する分岐部と、前記防災用配管には、前記分岐部より下流に熱式感知機能、または、煙式感知機能を有する住宅用スプリンクラーを配設し、且つ、その経路の末端には、トイレやトイレのロータンク、または浴室のシャワー水栓、または洗濯機用の給水栓、または屋外散水用の給水栓を設けて定期的に防災用配管に通水が行われるように形成し、前記住宅用スプリンクラーは、その熱式感知機能、または、煙式感知機能が作動した場合、通信線を経由して、給湯用機器に作動信号を送信する様に形成され、この作動信号を受けた時点で、前記給湯用機器は、それらに接続されたリモートコントローラーに火災警告として文字または絵表示と音声警告、またはそれらの何れか１つの方法で警告する様に形成された給湯用機器のリモートコントローラーを防災信号の末端警告機器として組み入れた事を特徴とする家庭用防災システム。
【請求項２】
水道本管から分岐して、その下流に設けた合成樹脂製の配管を用いた一般給水・給湯配管と防災用配管を分岐する分岐部と、前記防災用配管には、前記分岐部より下流に住宅用スプリンクラーを配設し、且つ、その経路の末端には、トイレやトイレのロータンク、または浴室のシャワー水栓、または洗濯機用の給水栓、または屋外散水用の給水栓を設けて定期的に防災用配管に通水が行われるように形成し、前記水道本管分岐部から下流の配管経路の何れかの場所に設けた圧力検出器の水圧の変動、または、前記水道本管分岐部から下流の防災用配管経路の何れかの場所に設けた水流検出器による水流の変動の、何れか１つ、または、双方を検出して、住宅用スプリンクラーの開放散水状態と判断し、通信線を経由して、給湯用機器に作動信号を送信する様に形成され、この作動信号を受けた時点で、前記給湯用機器は、それらに接続されたリモートコントローラーに火災警告として文字または絵表示と音声警告、またはそれらの何れか１つの方法で警告する様に形成された給湯用機器のリモートコントローラーを防災信号の末端警告機器として組み入れた事を特徴とする家庭用防災システム。
【請求項３】
水道本管から分岐してその下流に設けた合成樹脂製の配管を用いた一般給水・給湯配管と防災用配管を分岐する分岐部と、この分岐部には家庭用防災機器の作動信号により、主に一般配管経路を閉止、または、ほぼ閉止状態として、防災用配管経路を優先的に開放する給水切替器とを設けた、請求項１から２に記載の家庭用防災システム。
【請求項４】
給湯用機器に接続されるリモートコントローラーは、台所用リモートコントローラーと浴室用リモートコントローラーとから形成され、または、その何れか１つのリモートコントローラーから形成された請求項１から３に記載の家庭用防災システム。
【請求項５】
給湯用機器に接続されるリモートコントローラーとして、台所リモートコントローラーと浴室リモートコントローラーと共に、特定寝室等に設置される３番目のリモートコントローラーを接続して成る請求項１から４に記載の家庭用防災システム。
【請求項６】
防災配管の末端、またはその他の場所に設けられたトイレまたは温水洗浄便座のリモートコントローラーで、音声警告と文字または絵表示、またはそれらの何れか１つの方法で警告する請求項１から５記載の家庭用防災システム。
【発明の詳細な説明】
【０００１】
【発明の属する技術分野】
本発明は、水利用機器のリモートコントローラーを用いて音声若しくは文字や絵表示で火災等の警告を発する家庭用防災システムに関する。
【０００２】
【従来の技術】
従来、特開２００１−２１８８６３号に見られるものを詳述すると、以下の通りである。
一端が給水源に接続された配管と、当該配管に設けられたスプリンクラーヘッドを備えたスプリンクラー消火システムに於いて、スプリンクラーヘッドに火災検知時に動作信号を出力する接点機構を設け、前記スプリンクラーヘッドが設けられる室内に火災感知器を設置し、前記接点機構のリード線と前記火災感知器を同一の信号線に接続し、当該信号線は、防災システム専用の、警報ブザー等の制御盤に接続される様に構成される。
【０００３】
また、特開平１１−２２８３５７号に見られる様に、前記スプリンクラーヘッドと火災感知器相当の機能を備えて構成された住宅用スプリンクラーを用い、その火災検知時の動作信号を、防災システム専用の、警報ブザー等の制御盤に接続される様に構成する事も出来る。
【０００４】
【特許文献１】
特開２００１−２１８８６３号
【特許文献２】
特開平１１−２２８３５７号
【０００５】
【発明が解決しようとする課題】
しかしながら、従来の防災システムにおいては、火災検知時の動作信号を、直接または中継器を介して、前記防災システム専用の、警報ブザー等の音響装置に発して、該当の音響装置を鳴動し警告・報知したが、例えば浴室や便所といった場所には、警報ブザー等の音響装置を設置しようとしても、前記音響装置は、耐湿性に劣るため、仕様の大幅な変更が必要となる。これは、コストの増大を意味するものであり、従って、費用面から考えて、前記の音響装置が、浴室や便所といった場所に設置される事はなかった。一方で、高齢者の全人口に占める割合が年々増加する中、消防白書によると、一般住宅での火災による死亡者は、近年、ほぼ一定であるが、前記死亡者に占める高齢者の割合は、年々増加している。また、死亡に至った原因を見ると、火災の発生に気付かずに逃げ遅れて死亡するケースが、非常に多い。高齢者の生活を考えると、浴室や便所といった場所で過ごす時間が増えるであろう事は、容易に想像が付き、且つ、高齢者の視覚や聴覚、及び避難に要する動作速度が、高齢者ではない世代と比べ、著しく劣る事も明白である。それ故に、高齢者が、火災発生時に近隣の通路等に設置された音響装置からの警告を確認出来ない場合があり、逃げ遅れに至るものと考えられ、例えば国土交通省告示第１３０１号に記載されている様に、「高齢者が居住する住宅の設計に係る指針」として、前記の音響装置が、便所・浴室及び特定寝室に設けられている事が推奨されるに至った。
ところで、昨今の一般住宅をみると、浴室には給湯設備やシステム浴槽のリモートコントローラーが、便所には洗浄便座やシステムトイレのリモートコントローラーが、既に設置されているケースが増えており、且つ、それらのリモートコントローラーには、音声やブザー音による音響装置のみならず、文字による表示機能が組み込まれているものがある。また、前記リモートコントローラーは、浴室や便所で使われることが想定されており、耐湿性に優れている一方、前記の音響装置や表示機能は、警告のためより寧ろ、リモートコントローラーの使用方法をガイドするために使われている。
以上の事から、一般住宅で火災発生時の高齢者を考慮した警告システムを形成するため、現状の防災システムでは達成されない、浴室や便所といった場所に警告を発する事を、容易に且つ、コストをかけずに実現する事は、高齢者社会を迎えるにあたって、非常に重要な課題である。
本発明は、上記課題を解決するためになされたもので、本発明の目的は、コストをかけず簡便に、便所・浴室及び特定寝室に火災の警告表示を行える家庭用防災システムを提供することにある。
【０００６】
【課題を解決するための手段】
上記目的を達成するために、請求項１では、水道本管から分岐して、その下流に設けた合成樹脂製の配管を用いた一般給水・給湯配管と防災用配管を分岐する分岐部と、前記防災用配管には、前記分岐部より下流に熱式感知機能、または、煙式感知機能を有する住宅用スプリンクラーを配設し、且つ、その経路の末端には、トイレやトイレのロータンク、または浴室のシャワー水栓、または洗濯機用の給水栓、または屋外散水用の給水栓を設けて定期的に防災用配管に通水が行われるように形成し、前記住宅用スプリンクラーは、その熱式感知機能、または、煙式感知機能が作動した場合、通信線を経由して、給湯用機器に、作動信号を送信する様に形成され、この作動信号を受けた時点で、前記給湯用機器は、それらに接続されたリモートコントローラーに火災警告として文字または絵表示と音声警告、またはそれらの何れか１つの方法で警告する様に形成された給湯用機器のリモートコントローラーを防災信号の末端警告機器として組み入れた事を特徴とする家庭用防災システムであり、給湯用機器に接続されたリモートコントローラーを、防災信号の末端警告機器として兼用する事で、コストをかけず簡便に警告機器を増設する事が可能となる。
【０００７】
また、請求項２では、水道本管から分岐して、その下流に設けた合成樹脂製の配管を用いた一般給水・給湯配管と防災用配管を分岐する分岐部と、前記防災用配管には、前記分岐部より下流に住宅用スプリンクラーを配設し、且つ、その経路の末端には、トイレやトイレのロータンク、または浴室のシャワー水栓、または洗濯機用の給水栓、または屋外散水用の給水栓を設けて定期的に防災用配管に通水が行われるように形成し、前記水道本管分岐部から下流の配管経路の何れかの場所に設けた、圧力検出器の水圧の変動、または、前記水道本管分岐部から下流の防災用配管経路の何れかの場所に設けた、水流検出器による水流の変動の、何れか１つ、または、双方を検出して、住宅用スプリンクラーの開放散水状態と判断し、通信線を経由して、給湯用機器に作動信号を送信する様に形成され、この作動信号を受けた時点で、前記給湯用機器は、それらに接続されたリモートコントローラーに火災警告として文字または絵表示と音声警告、またはそれらの何れか１つの方法で警告する様に形成された給湯用機器のリモートコントローラーを防災信号の末端警告機器として組み入れた事を特徴とする家庭用防災システムであり、給湯用機器に接続されたリモートコントローラーを、防災信号の末端警告機器として兼用する事で、コストをかけず簡便に警告機器を増設する事が出来る。
【０００８】
また、請求項３では、水道本管から分岐して、その下流に設けた合成樹脂製の配管を用いた一般給水・給湯配管と、防災用配管を分岐する分岐部と、この分岐部には家庭用防災機器、つまり、熱式感知機能または煙式感知機能、または住宅用スプリンクラーの開放散水状態を判断する検圧器または水量センサー、これらの作動信号により、主に一般配管経路を閉止、または、ほぼ閉止状態として、防災用配管経路を優先的に開放する給水切替器とを設けた、請求項１から２に記載の家庭用防災システムであり、給湯用機器に接続されたリモートコントローラーを、防災信号の末端警告機器として兼用する事で、コストをかけず簡便に、警告機器を増設する出来る事に加え、住宅用スプリンクラーが開放散水した場合、防災用配管でない、一般配管経路を閉止、または、ほぼ閉止し、住宅用スプリンクラーの散水量を確保する事が可能となり、火災の消火、または、延焼防止の効果が、より確実になる。
【０００９】
また、請求項４では、給湯用機器に接続されるリモートコントローラーは、台所用リモートコントローラと浴室用リモートコントローラーとから形成され、または、その何れか１つのリモートコントローラーから形成された請求項１から３に記載の家庭用防災システムであり、これにより、浴室や台所へ家庭用防災システムの警告機器を低コストで簡便に設ける事が出来る。
【００１０】
また、請求項５では、請求項１から４において、給湯用機器に接続されるリモートコントローラーとして、台所リモートコントローラーと浴室リモートコントローラーと共に、特定寝室等に設置される３番目のリモートコントローラーを接続して成る家庭用防災システムであり、これにより、特定寝室に家庭用防災システムの警告機器を低コストで簡便に設ける事が出来る。
【００１１】
また、請求項６では、請求項１から５において、防災配管の末端、またはその他の場所に設けられたトイレまたは温水洗浄便座のリモートコントローラーで、音声警告と文字または絵表示、またはそれらの何れか１つの方法で警告する家庭用防災システムであり、これにより、便所に家庭用防災システムの警告機器を低コストで設ける事が出来る。
【００１２】
【発明の実施の形態】
図１は本発明の実施例を表す。図１において、１は水道本管から枝分かれして各家庭に引き込まれる給水管の上流位置に設けられた量水計を含むメーターボックスで、この下流に合成樹脂製の一般給水配管５及び図示しない合成樹脂製の一般給湯配管６と、やはり合成樹脂製の防災配管２３とを分岐する分岐部２から形成される。分岐部２には、給水切替器１０が設けられている。
【００１３】
給水切替器１０から分岐して延設された防災配管２３には、熱感知機能部２１とスプリンクラー分岐継手２７を有する住宅用スプリンクラー２０が、スプリンクラー分岐継手２７にて接続される。前記住宅用スプリンクラー２０は、前記防災配管２３の経路上に、２個直列に配設される。前記住宅用スプリンクラー２０のうち、防災配管２３の最下流に配設された住宅用スプリンクラー２０のスプリンクラー分岐継手２７において、その下流側には、防災配管２３より小口径で合成樹脂製の第２の防災配管２４が接続され、その末端には、給水の壁取り出し器具である給水コンセント２５を介して末端給水装置２６が接続される。尚、図１においては、末端給水装置２６の例として、大便器を図示しているが、これは、浴室のシャワー水栓、または、洗濯機用の給水栓、または、屋外散水用の給水栓が接続される事もある。
【００１４】
一方、給水切替器１０から分岐して延設された一般給水配管５はヘッダーボックス３を介して各給水装置４に接続される。尚、ヘッダーボックス３からは、図示しない一般給湯配管６が、電気温水器３１に接続される。尚、一般給水配管５と、一般給湯配管６は、防災配管２３より小口径で形成されている。
【００１５】
防災配管２３と、一般給水配管５の分岐部２に設けられた給水切替器１０は、その内部に制御基板１４が配設され、この制御基板１４は通信線３６を介して電気温水器３１の制御基板３５に接続される。電気温水器３１には、台所リモートコントローラー３２と図示しない浴室リモートコントローラー３３が接続される。更に、前記給水切替器１０の制御基板１４は、通信線１７により、住宅用スプリンクラー２０の熱感知機能部２１及び警報ブザー２２に接続される。
【００１６】
通常時においては、給水切替器１０の内部に設けられた停止弁１２は開放状態にあり、給水装置４を開放すれば、給水元圧により、分岐部２からヘッダーボックス３、及び、一般給水配管５を経由して給水される。また、末端給水装置２６を開放すれば、やはり分岐部２を経由して、防災配管２３、住宅用スプリンクラー２０、及び、第２の防災配管２４を介して給水コンセント２５を通過し、末端給水装置２６に給水される。末端給水装置２６が、定期的に開放される事で、住宅用スプリンクラー２０のスプリンクラー分岐継手２７は、停滞水が発生する事がない。尚、防災配管２３は、住宅用スプリンクラー２０が作動した場合の散水流量を十分確保する為に、一般給水配管５、一般給湯配管６、及び、第２の防災配管２４より大口径に設定されているが、水圧が十分あれば、略同一の口径で配設される。
【００１７】
住宅用スプリンクラー２０が設置された居住空間で、火災が発生した場合、住宅用スプリンクラー２０の熱感知機能部２１が火災の熱を感知し、信号線１７を介して、警報ブザー２２と給水切替器１０に火災信号を送る。この信号により、警報ブザー２２は、警告音を鳴動させる。また、給水切替器１０は、防災配管２３側を優先して給水する為に、停止弁１２を閉止し、且つ、電気温水器３１の制御基板３５に火災信号を送信する。この信号は、電気温水器３１の制御基板３５から、台所リモートコントローラーと浴室リモートコントローラーにエラーコードとして送信され、各リモートコントローラーから火災に関する文字情報の表示と音声による警告が成される。
【００１８】
図２は、本発明のうち、住宅用スプリンクラー２０の熱感知機能部２１の断面略図である。天井４０に面して設置された熱感知機能部２１は、第１の熱溶解部材４１により係止された受熱プレート４２と、プロテクター４３と、近接スイッチ５１と、第２の熱溶解部材４４により係止されたＳＰ本体感熱部４５から構成される。
【００１９】
住宅用スプリンクラー２０が設置された居住空間で火災が発生した場合、火災の熱により、受熱プレート４２が熱を受け、第１の熱溶解部材４１の温度が溶融点まで上昇すると、第１の熱溶解部材４１が溶解し、受熱プレート４２とプロテクター４３の係止力が無くなり、受熱プレート４２は、コイルスプリング４６の弾性反発力により、下方に落下する。更に、プロテクター４３は、支持バネ４８の弾性反発力により、ストッパー４７が外周方向に広がり、本体４９から脱落する。プロテクター４３には、磁石５０が組み込まれており、本体４９に設けられた近接スイッチ５１を、前記磁石５０の磁力により、ＯＦＦ状態に保持しているが、プロテクター４３が脱落する事により、磁石５０の磁力が無くなり、近接スイッチ５１はＯＮ状態となり、信号線１７を介して、警報ブザー２２、更に給水切替器１０の制御基板１４に火災信号を送る。この信号により、警報ブザー２２は、警告音を鳴動させる。また、給水切替器１０は、防災配管２３側を優先して給水する為に、停止弁１２を閉止し、且つ、電気温水器３１の制御基板３５に火災信号を送信する。この信号は、電気温水器３１の制御基板３５から、台所リモートコントローラーと浴室リモートコントローラーにエラーコードとして送信され、各リモートコントローラーから火災に関する文字情報の表示と音声による警告が成される。
【００２０】
受熱プレート４２とプロテクター４３が脱落した後、ＳＰ本体感熱部４５が露出し、火災による熱を受け、第２の熱溶解部材４４の溶融点まで温度が上昇すると、ＳＰヘッド５２とＳＰ本体感熱部４５の係止力が無くなり、ＳＰ本体感熱部４５は、下方に落下する。この時、給水元圧により図示しないスプリンクラー散水板５３が、下方に飛び出して、住宅用スプリンクラー２０は開放状態となり、散水を開始して、消火、または延焼を防止する。
【００２１】
熱感知機能部２１は、第１の熱溶解部材４１により係止される受熱プレート４２、及び、プロテクター４３による第１の熱感知部と、及び近接スイッチ５１から形成されるが、例えば、給水切替器１０に設けられた検圧器１３の圧力検出値により、住宅用スプリンクラー２０の開放を検知し、火災信号として警報器２２、及び、電気温水器３１の制御基板３５に信号を送信し、警報器２２により警告音を鳴動させ、且つ、電気温水器３１の制御基板３５を介して接続された台所リモートコントローラー３２と、浴室リモートコントローラー３３から、火災に関する文字情報の表示と音声による警告を発する様に構成する事も出来る。すなわち、住宅用スプリンクラー２０が開放されると、１分間に３０リットル以上の大量の水が流れ、これにより水道本管からメーターボックス１を含む分岐継手１５までの配管の圧力損失により、検圧器１３の圧力が急激に低下する。この時の、圧力低下は、給水装置４や末端給水装置２６の開放時の圧力低下に比べ、流量の違いにより著しく低く、検圧器１３で、その差異を容易に識別する事が可能である。従って、この場合、熱感知機能部２１の第１の熱感知部は不要であり、更に低コストで、家庭用防災システムを構築出来る。
【００２２】
尚、検圧器１３を用いる方法の他に、水道本管分岐部から分岐部２を通って、防災配管２３の何れか１ヶ所に、図示しない流量センサー５４を設けて、住宅用スプリンクラー２０が開放された場合の流量を検出し、火災信号として同様の処理を行う事も出来る。この方法では、一般配管５、または、防災配管２３から第２の防災配管２４を経由して通水する通常の水使用時と、住宅用スプリンクラー２０の解放による消火散水時で、通水流量の検出値が大きく異なる事を用いて、住宅用スプリンクラー２０の開放に関する検出閾値を決定している。
【００２３】
図３は、本発明における、給水切替器１０の１つの実施例としての、略断面図である。給水本管から枝分かれした枝管に設けられたメーターボックス１と接続配管７により、給水切替器１０の給水接続口６０が接続される。以下、給水接続口６０に設けられた、ゴミ等を除去するストレーナ１１を経て、分岐継手１５により、一端は、防災配管接続口６１に、他端は停止弁１２に接続される。停止弁１２は、検圧器１３を設けた検圧継手１８を介して、一般配管接続口６２に接続される。火災に関する信号は、通信線１７を経由して、給水切替器１０の上部に配設された制御基板１４に送られる。また、前記制御基板は、図示しない専用通信線３６によって、電気温水器３１の制御基板３５に接続される。火災に関する信号を受けると、制御基板１４は、電動弁１２を閉止させ、防災配管への優先給水モードとなる。尚、検圧器１３の検出値により、住宅用スプリンクラー２０の開放散水を検知し、同様に電動弁１２を閉止して、防災配管への優先給水モードとする事も可能である。
【００２４】
検圧器１３は、制御基板１４に設けられた、図示しない本体制御スイッチ１９を押す事により、配管内部の圧力値を検出し、住宅用スプリンクラー２０の最低必要圧が確保されているか、判定する事も出来る。これにより、施工者が防災用配管を施工した時点で、住宅用スプリンクラー２０の必要水圧が確保されているか、容易に確認する事が可能となる。
【００２５】
図４は、電気温水器３１の、台所リモートコントローラー３２である。前記台所リモートコントローラー３２は、複数個の操作スイッチと状態表示部、及び、音声スピーカー３８から構成されている。電気温水器３１の制御基板３５から送られたエラーコードのうち、火災信号に該当するエラーコードを受けた場合、文字表示部５３に、文字警告表示３７にて、火災に関する文字警告情報を表示し、音声スピーカー３８にて、音声で火災に関する警告を出す。この台所リモートコントローラー３２には、通常の電気温水器の操作スイッチである、お湯はりスイッチ５６や温水器温度スイッチ５７の他に、住宅用スプリンクラー２０の作動時の操作スイッチを有しており、止水スイッチ５４を押すと、給水切替器１０により、防災配管２３への通水が遮断され、住宅用スプリンクラー２０が開放状態であっても、一時的に散水を止める事が出来る。これにより、住宅用スプリンクラーの作動により火災が消火された後に、不要な散水を止める事を可能とする。また、優先解除スイッチ５５は、給水切替器１０によるスプリンクラー優先給水を強制的に解除する。これにより、住宅用スプリンクラー２０が、誤検知した場合に作動する、給水切替器１０による防災配管優先給水を強制的に解除し、一般配管５で、水の使用を可能とする。また、図示はしないが、浴室と寝室にも、同様のリモートコントローラーを設置しているため、火災に関する警告を、文字表示と音声警告で行う。これにより、従来は、設置が困難であった、浴室への警告機器を、新設する事無く、設ける事が可能となり、同様に、特定寝室に、低コストで、警告機器を設ける事が可能となる。
【００２６】
また、詳細の図は示さないが、温水暖房便座５８のリモートコントローラー５９にも、同様の警告機能を設けるてある。このため、便所でも、低コストで、且つ、簡便に、家庭用防災システムの警告機器を設ける事が可能となる。
【００２７】
【発明の効果】
本発明は上記構成により次の効果を発揮する。
請求項１では、家庭用防災システムの熱式感知機能、または、煙式感知機能により検出した火災信号を、給湯用設備に接続された、リモートコントローラーに、火災警告として、文字または絵表示と音声警告、またはそれらの何れか１つの方法で警告させる事により、従来より低価格で、家庭用防災システムの警告機器を構成する事が可能になる。
【００２８】
請求項２では、水道本管分岐部から下流の配管経路の何れかの場所に設けた、圧力検出器の水圧の変動、または、水道本管分岐部から防災用配管経路の何れかの場所に設けた水流検出器による水流の変動の何れか１つ、または、双方を検出して住宅用スプリンクラーの開放状態と判断し、火災信号とする事で、従来は、スプリンクラー機能と共に必要であった、熱感知機能を削減し、低コストで家庭用防災システムを構成する事が可能となり、火災信号を、給湯用設備に接続された、リモートコントローラーに、火災警告として、文字または絵表示と音声警告、またはそれらの何れか１つの方法で警告させる事により、従来より低価格で、家庭用防災システムの警告機器を構成する事が可能になる。また、これに熱感知機能を追加して、火災検知の信頼性を高めた家庭用防災システムを構成する事も可能となる。
【００２９】
請求項３では、請求項１から２に加え、一般給水・給湯配管と防災用配管の分岐部に家庭用防災機器の作動信号により、主に一般給水・給湯配管経路を閉止、または、ほぼ閉止状態として、防災用配管経路を優先的に開放する給水切替器を設ける事で、従来より低価格で、家庭用防災システムの警告機器を構成する事に加え、住宅用スプリンクラーの開放散水量を確実に確保する事が可能になる。
【００３０】
請求項４では、給湯用設備に接続するリモートコントローラーが、台所リモートコントローラー３２と浴室リモートコントローラー３３、または、その何れか１つのリモートコントローラーから形成する事が可能であり、これにより、従来は、コスト上、警告機器の単独設置が困難だった、浴室への家庭用防災システムの警告機器を、低コストで設ける事が可能になると共に、様々な居室以外の住空間、例えば、台所や脱衣場といった場所にも、簡便に、警告機器として設置する事が可能となる。これにより、高齢者等、視覚・聴覚が衰えた方でも、火災に関する警告を、認知する事が容易になる。
【００３１】
請求項５では、第３のリモートコントローラーを給湯用設備に設ける事で、特定寝室等に、簡便、且つ、低コストで、家庭用防災システムの警告機器を設ける事が可能になる。
【００３２】
請求項６では、トイレ、または、温水洗浄便座のリモートコントローラーに警告機能を設ける事で、従来では、あまり設置されなかった、便所へ、家庭用防災システムの警告機器を、低コストで設ける事が可能になる。これにより、高齢者等、視覚・聴覚が衰えた方でも、火災に関する警告を、便所で認知する事が容易になる。
【図面の簡単な説明】
【図１】本発明の実施の形態におけるシステム図である。
【図２】本発明の実施の形態における熱感知機能部を示す略断面図である。
【図３】本発明の実施の形態における給水切替器の実施例を示す断面図である。
【図４】本発明の実施の形態における台所リモートコントローラーの外観図である。
【符号の説明】
１  メーターボックス
２  分岐部
３  ヘッダーボックス
４  給水装置
５  一般給水配管
１０  給水切替器
１１  ストレーナ
１２  停止弁
１３  検圧器
１４  制御基板
１５  分岐継手（チーズ）
１６  通信線（給湯）
１７  通信線（防災）
１８  検圧継手
２０  住宅用スプリンクラー
２１  熱感知機能部
２２  警報ブザー
２３  防災配管
２４  第２の防災配管
２５  給水コンセント
２６  末端給水装置
２７  スプリンクラー分岐継手
３０  給湯機
３２  台所リモートコントローラー
３６  専用通信線
３７  文字警告表示部
３８  音声スピーカー
４０  天井
４１  第１の熱溶解部材
４２  受熱プレート
４３  プロテクター
４４  第２の熱溶解部材
４５  ＳＰ本体感熱部
４６  コイルスプリング
４７  ストッパー
４８  支持バネ
４９  本体
５０  磁石
５１  近接スイッチ
５２  ＳＰヘッド
５３  リモコン文字表示部
５４  止水スイッチ
５５  優先解除スイッチ
５６  お湯はりスイッチ
５７  温水器温度スイッチ
５８  温水暖房便座
５９  リモートコントローラー
６０  給水接続口
６１  防災配管接続口
６２  一般配管接続
【図１】
2004147991.tif 000003
【図２】
2004147991.tif 000004
【図３】
2004147991.tif 000005
【図４】
2004147991.tif 000006